(57)【要約】【課題】本発明はノートパソコンスタンドを開示した。【解決手段】底板を含み、挟みブロックを前後に引き動かしてパソコンを固定し、挟みヘッドがパソコンと回転板をきつく挟み、阻みブロックはパソコンが傾斜して下へスライドすることを防止でき、パソコンの傾度を調節する時、第二ノブを回し、第二ノブが推し動かしロッドを回転連動させ、ネジブロックが回転して推し動かしベースを推し動かして回転させ、それによりパソコンが傾斜し、適合な角度まで調節され、昇降機構により異なる高度のニーズを満たすことができ、支持スタンドの強度を増加し、機能が広げられ、テスクとして使用されることもでき、使用者の使用に便利を与え、使用者の視力と脊椎を保護でき、職業病が出るリスクを減少する。【選択図】図１
2020181550.tif 000002
【特許請求の範囲】
【請求項１】
正面視で、底板を含み、前記底板の上側には高度を上下に調節できる昇降機構が設置され、前記昇降機構は支持板と支持ブロックを含み、前記支持板の底部端面には第一スライドベースがスライドできるように装着され、前記底板の頂部端面には第二スライドベースがスライドできるように装着され、前記第二スライドベースと前記第一スライドベースとの間には四本の昇降を補助できる補助ロッドがヒンジでつながれており、前記支持板の底部端面には前後の前記支持板を固定できる連結板が固定的に装着され、前記連結板の底部端面には第一ネジスリーブが固定的に装着され、前記第一ネジスリーブの中には第二ネジスリーブがネジ山により装着され、前記第二ネジスリーブの中には第一ネジ軸がネジ山により装着され、前記第二ネジスリーブの頂部端面には前記第一ネジ軸が前記第二ネジスリーブとの協働から離脱することを防止できるリミットボルトがネジ山により固定的に装着され、前記第一ネジ軸と前記支持ブロックとが回転できるように装着され、前記第一ネジ軸には第一ギヤが固定的に装着され、前記底板の頂部端面には支持ブロックが固定的に装着され、前記支持ブロックの中にはギヤチャンバが設置され、前記ギヤチャンバの右側内壁と前記支持ブロックの右側端面との間にはノブ軸が回転できるように装着され、前記ノブ軸の左側端面には第二ギヤが固定的に装着され、前記第二ギヤと前記第一ギヤとが噛み合っており、前記ノブ軸の右側端面には第一ノブが固定的に装着され、前記第一ノブを回すことにより、前記第一ネジ軸が回転し、前記第一ネジ軸が回転して前記連結板を押し動かして上下に運動させることができ、それにより前記連結板の高度を調節でき、前記連結板の頂部端面には回転軸が固定的に装着され、前記回転軸には回転板が回転できるように装着され、前記回転板の中にはパソコンが傾斜することを調節できる傾斜機構が設置され、前記傾斜機構は前記回転板に設置されて上方に開口した傾斜溝を含み、前記傾斜溝の前後内壁の間にはパソコンを置ける置き板が回転できるように装着され、前記置き板の底壁には推し動かしベースが固定的に装着され、前記傾斜溝の前後内壁の間には前記置き板を推し動かして傾斜させることができる推し動かしロッドが回転できるように装着され、前記推し動かしロッドと前記推し動かしベースとがスライドできるように装着され、前記傾斜溝の底壁には前記傾斜溝と連通しているスライド溝が設置され、前記傾斜機構はまた前記傾斜溝の左右内壁の間に回転できるように装着されている第二ネジ軸を含み、前記第二ネジ軸にはネジブロックがネジ山により装着され、前記ネジブロックと前記スライド溝とがスライドできるように装着され、前記ネジブロックには前記推し動かしロッドの回転を制御できる制御ロッドがヒンジでつながれており、前記制御ロッドと前記推し動かしロッドとがヒンジでつながれていることを特徴とするノートパソコンスタンド。
【請求項２】
前記傾斜機構はまた前記第二ネジ軸の右側端面に固定的に装着されている第二ノブを含み、前記傾斜溝の左側内壁の中には空気ブロー溝が設置され、前記空気ブロー溝の右側内壁の中にはモータが固定的に装着され、前記モータの右側出力軸の端面にはモータ軸が固定的に連結され、前記モータ軸の右側端面には羽根が固定的に装着され、前記置き板の頂壁には阻みブロック溝が設置され、前記阻みブロック溝の中には阻みブロックがヒンジでつながれており、前記回転板の中には第一スライドチャンバが前後対称的に設置され、前記第一スライドチャンバの片側内壁と前記回転板の片側端面との間にはスライドロッドがスライドできるように装着され、前記スライドロッドの片側端面には第一リミットブロックが固定的に装着され、前記第一リミットブロックの片側端面と前記第一スライドチャンバの片側内壁との間には第一ばねが固定的に装着され、前記スライドロッドの片側端面には挟みブロックが前後対称的に固定的に装着され、前記挟みブロックの中には第二スライドチャンバが設置され、前記第二スライドチャンバの上側内壁と前記挟みブロックの上側端面との間には取り付け挟みヘッドがスライドできるように装着され、前記取り付け挟みヘッドの底部端面には第二リミットブロックが固定的に装着され、前記第二リミットブロックの上側端面と前記第二スライドチャンバの上側内壁との間には第二ばねが固定的に装着され、前記挟みブロックを前後に引き動かしてパソコンを固定し、前記挟みヘッドがパソコンと前記回転板をきつく挟み、前記阻みブロックはパソコンが傾斜して下へスライドすることを防止でき、パソコンの傾度を調節する時、前記第二ノブを回し、前記第二ノブが前記推し動かしロッドを回転連動させ、前記ネジブロックが回転して前記推し動かしベースを推し動かして回転させ、それによりパソコンが傾斜し、適合な角度まで調節されることを特徴とする請求項１に記載のノートパソコンスタンド。
【発明の詳細な説明】
【技術分野】
【０００１】
本発明はパソコン用品分野に関わり、具体的にはノートパソコンスタンドである。
【背景技術】
【０００２】
ノートパソコンはデーブルに置かれて使用される時、使用者の視力と脊椎に一定の影響を与え、目下使用されているノートパソコンスタンドは、ただノートパソコンを一定の傾斜角度に支えることだけができ、パソコンスタンドの高度を随意調節できなく、パソコンスタンドの支える強度が低く、重い物を置くことに役を立たない。
【先行技術文献】
【特許文献】
【０００３】
【特許文献１】中国特許出願公開第１０４２１６４７６号明細書
【発明の概要】
【発明が解決しようとする課題】
【０００４】
本発明はノートパソコンスタンドを提供し、既存技術にある上記問題を解決することを目的とする。
【課題を解決するための手段】
【０００５】
本発明の実施例のノートパソコンスタンドは、底板を含み、前記底板の上側には高度を上下に調節できる昇降機構が設置され、前記昇降機構は支持板と支持ブロックを含み、前記支持板の底部端面には第一スライドベースがスライドできるように装着され、前記底板の頂部端面には第二スライドベースがスライドできるように装着され、前記第二スライドベースと前記第一スライドベースとの間には四本の昇降を補助できる補助ロッドがヒンジでつながれており、前記支持板の底部端面には前後の前記支持板を固定できる連結板が固定的に装着され、前記連結板の底部端面には第一ネジスリーブが固定的に装着され、前記第一ネジスリーブの中には第二ネジスリーブがネジ山により装着され、前記第二ネジスリーブの中には第一ネジ軸がネジ山により装着され、前記第二ネジスリーブの頂部端面には前記第一ネジ軸が前記第二ネジスリーブとの協働から離脱することを防止できるリミットボルトがネジ山により固定的に装着され、前記第一ネジ軸と前記支持ブロックとが回転できるように装着され、前記第一ネジ軸には第一ギヤが固定的に装着され、前記底板の頂部端面には支持ブロックが固定的に装着され、前記支持ブロックの中にはギヤチャンバが設置され、前記ギヤチャンバの右側内壁と前記支持ブロックの右側端面との間にはノブ軸が回転できるように装着され、前記ノブ軸の左側端面には第二ギヤが固定的に装着され、前記第二ギヤと前記第一ギヤとが噛み合っており、前記ノブ軸の右側端面には第一ノブが固定的に装着され、前記第一ノブを回すことにより、前記第一ネジ軸が回転し、前記第一ネジ軸が回転して前記連結板を押し動かして上下に運動させることができ、それにより前記連結板の高度を調節でき、前記連結板の頂部端面には回転軸が固定的に装着され、前記回転軸には回転板が回転できるように装着され、前記回転板の中にはパソコンが傾斜することを調節できる傾斜機構が設置され、前記傾斜機構は前記回転板に設置されて上方に開口した傾斜溝を含み、前記傾斜溝の前後内壁の間にはパソコンを置ける置き板が回転できるように装着され、前記置き板の底壁には推し動かしベースが固定的に装着され、前記傾斜溝の前後内壁の間には前記置き板を推し動かして傾斜させることができる推し動かしロッドが回転できるように装着され、前記推し動かしロッドと前記推し動かしベースとがスライドできるように装着され、前記傾斜溝の底壁には前記傾斜溝と連通しているスライド溝が設置され、前記傾斜機構はまた前記傾斜溝の左右内壁の間に回転できるように装着されている第二ネジ軸を含み、前記第二ネジ軸にはネジブロックがネジ山により装着され、前記ネジブロックと前記スライド溝とがスライドできるように装着され、前記ネジブロックには前記推し動かしロッドの回転を制御できる制御ロッドがヒンジでつながれており、前記制御ロッドと前記推し動かしロッドとがヒンジでつながれている。
【０００６】
さらなる技術プランとして、前記傾斜機構はまた前記第二ネジ軸の右側端面に固定的に装着されている第二ノブを含み、前記傾斜溝の左側内壁の中には空気ブロー溝が設置され、前記空気ブロー溝の右側内壁の中にはモータが固定的に装着され、前記モータの右側出力軸の端面にはモータ軸が固定的に連結され、前記モータ軸の右側端面には羽根が固定的に装着され、前記置き板の頂壁には阻みブロック溝が設置され、前記阻みブロック溝の中には阻みブロックがヒンジでつながれており、前記回転板の中には第一スライドチャンバが前後対称的に設置され、前記第一スライドチャンバの片側内壁と前記回転板の片側端面との間にはスライドロッドがスライドできるように装着され、前記スライドロッドの片側端面には第一リミットブロックが固定的に装着され、前記第一リミットブロックの片側端面と前記第一スライドチャンバの片側内壁との間には第一ばねが固定的に装着され、前記スライドロッドの片側端面には挟みブロックが前後対称的に固定的に装着され、前記挟みブロックの中には第二スライドチャンバが設置され、前記第二スライドチャンバの上側内壁と前記挟みブロックの上側端面との間には取り付け挟みヘッドがスライドできるように装着され、前記取り付け挟みヘッドの底部端面には第二リミットブロックが固定的に装着され、前記第二リミットブロックの上側端面と前記第二スライドチャンバの上側内壁との間には第二ばねが固定的に装着されている。
【発明の効果】
【０００７】
本発明の有益な効果は：本発明は昇降機構により異なる高度のニーズを満たすことができ、支持スタンドの強度を増加し、機能が広げられ、テスクとして使用されることもでき、使用者の使用に便利を与え、使用者の視力と脊椎を保護でき、職業病が出るリスクを減少し、普及する価値がある。
【図面の簡単な説明】
【０００８】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【０００９】
【図１】は本発明の全体構成概略図
【図２】は図１の中のＡ―Ａ方向の断面構成概略図
【図３】は図１の中のＢ―Ｂ方向の断面構成概略図
【発明を実施するための形態】
【００１０】
図１〜３を参照し、本発明の実施例のノートパソコンスタンドは、底板１０を含み、前記底板１０の上側には高度を上下に調節できる昇降機構８０が設置され、前記昇降機構８０は支持板２６と支持ブロック１１を含み、前記支持板２６の底部端面には第一スライドベース２１がスライドできるように装着され、前記底板１０の頂部端面には第二スライドベース２０がスライドできるように装着され、前記第二スライドベース２０と前記第一スライドベース２１との間には四本の昇降を補助できる補助ロッド１８がヒンジでつながれており、前記支持板２６の底部端面には前後の前記支持板２６を固定できる連結板２５が固定的に装着され、前記連結板２５の底部端面には第一ネジスリーブ２３が固定的に装着され、前記第一ネジスリーブ２３の中には第二ネジスリーブ２２がネジ山により装着され、前記第二ネジスリーブ２２の中には第一ネジ軸１２がネジ山により装着され、前記第二ネジスリーブ２２の頂部端面には前記第一ネジ軸１２が前記第二ネジスリーブ２２との協働から離脱することを防止できるリミットボルト２４がネジ山により固定的に装着され、前記第一ネジ軸１２と前記支持ブロック１１とが回転できるように装着され、前記第一ネジ軸１２には第一ギヤ１７が固定的に装着され、前記底板１０の頂部端面には支持ブロック１１が固定的に装着され、前記支持ブロック１１の中にはギヤチャンバ１３が設置され、前記ギヤチャンバ１３の右側内壁と前記支持ブロック１１の右側端面との間にはノブ軸１５が回転できるように装着され、前記ノブ軸１５の左側端面には第二ギヤ１４が固定的に装着され、前記第二ギヤ１４と前記第一ギヤ１７とが噛み合っており、前記ノブ軸１５の右側端面には第一ノブ１６が固定的に装着され、前記第一ノブ１６を回すことにより、前記第一ネジ軸１２が回転し、前記第一ネジ軸１２が回転して前記連結板２５を押し動かして上下に運動させることができ、それにより前記連結板２５の高度を調節でき、前記連結板２５の頂部端面には回転軸２７が固定的に装着され、前記回転軸２７には回転板２８が回転できるように装着され、前記回転板２８の中にはパソコンが傾斜することを調節できる傾斜機構８１が設置され、前記傾斜機構８１は前記回転板２８に設置されて上方に開口した傾斜溝３７を含み、前記傾斜溝３７の前後内壁の間にはパソコンを置ける置き板３３が回転できるように装着され、前記置き板３３の底壁には推し動かしベース４２が固定的に装着され、前記傾斜溝３７の前後内壁の間には前記置き板３３を推し動かして傾斜させることができる推し動かしロッド４１が回転できるように装着され、前記推し動かしロッド４１と前記推し動かしベース４２とがスライドできるように装着され、前記傾斜溝３７の底壁には前記傾斜溝３７と連通しているスライド溝３８が設置され、前記傾斜機構８１はまた前記傾斜溝３７の左右内壁の間に回転できるように装着されている第二ネジ軸４３を含み、前記第二ネジ軸４３にはネジブロック３９がネジ山により装着され、前記ネジブロック３９と前記スライド溝３８とがスライドできるように装着され、前記ネジブロック３９には前記推し動かしロッド４１の回転を制御できる制御ロッド４０がヒンジでつながれており、前記制御ロッド４０と前記推し動かしロッド４１とがヒンジでつながれている。
【００１１】
前記傾斜機構８１はまた前記第二ネジ軸４３の右側端面に固定的に装着されている第二ノブ４４を含み、前記傾斜溝３７の左側内壁の中には空気ブロー溝３０が設置され、前記空気ブロー溝３０の右側内壁の中にはモータ２９が固定的に装着され、前記モータ２９の右側出力軸の端面にはモータ軸３１が固定的に連結され、前記モータ軸３１の右側端面には羽根３２が固定的に装着され、前記置き板３３の頂壁には阻みブロック溝３５が設置され、前記阻みブロック溝３５の中には阻みブロック３６がヒンジでつながれており、前記回転板２８の中には第一スライドチャンバ４５が前後対称的に設置され、前記第一スライドチャンバ４５の片側内壁と前記回転板２８の片側端面との間にはスライドロッド４８がスライドできるように装着され、前記スライドロッド４８の片側端面には第一リミットブロック４６が固定的に装着され、前記第一リミットブロック４６の片側端面と前記第一スライドチャンバ４５の片側内壁との間には第一ばね４７が固定的に装着され、前記スライドロッド４８の片側端面には挟みブロック４９が前後対称的に固定的に装着され、前記挟みブロック４９の中には第二スライドチャンバ５０が設置され、前記第二スライドチャンバ５０の上側内壁と前記挟みブロック４９の上側端面との間には取り付け挟みヘッド３４がスライドできるように装着され、前記取り付け挟みヘッド３４の底部端面には第二リミットブロック５２が固定的に装着され、前記第二リミットブロック５２の上側端面と前記第二スライドチャンバ５０の上側内壁との間には第二ばね５３が固定的に装着され、それによりパソコンを回転板２８に置いた後、挟みブロック４９を前後に引き動かしてパソコンを固定し、挟みヘッド３４がパソコンと回転板２８をきつく挟み、阻みブロック３６はパソコンが傾斜して下へスライドすることを防止でき、パソコンが熱を発散する時、モータ２９を始動し、モータ２９が羽根３２を回転連動させ、それにより風が吹いて熱を発散し、パソコンの傾度を調節する時、第二ノブ４４を回し、第二ノブ４４がネジブロック３９を連動させて第二ネジ軸４３でスライドさせ、ネジブロック３９が推し動かしロッド４１を推し動かして推し動かしロッド４１のヒンジ連結中心を回って回転させ、ネジブロック３９が回転して推し動かしベース４２を推し動かして回転させ、それによりパソコンが傾斜し、適合な角度まで調節される。
【００１２】
使用する時：昇降の調節を行う時、第一ノブ１６を回し、第一ノブ１６が回転し、それにより第二ギヤ１４が回転し、それにより第一ギヤ１７が回転し、それにより第一ネジ軸１２を回転連動させ、第一ネジ軸１２がリミットボルト２４と接触して互いに支え又は第一ネジ軸１２と第二ネジスリーブ２２とをしっかり捻った後、第一ネジスリーブ２３を回転させ、連結板２５と回転軸２７に上下への昇降の調節を行わせ、それにより使用者の異なる高さのニーズを満たし、パソコンを回転板２８に置き、挟みブロック４９を前後に引き動かしてパソコンを固定し、挟みヘッド３４がパソコンと回転板２８をきつく挟み、阻みブロック３６はパソコンが傾斜して下へスライドすることを防止でき、パソコンが熱を発散する時、モータ２９を始動し、モータ２９が羽根３２を回転連動させ、それにより風が吹いて熱を発散し、パソコンの傾度を調節する時、第二ノブ４４を回し、第二ノブ４４がネジブロック３９を連動させて第二ネジ軸４３でスライドさせ、ネジブロック３９が推し動かしロッド４１を推し動かして推し動かしロッド４１のヒンジ連結中心を回って回転させ、ネジブロック３９が回転して推し動かしベース４２を推し動かして回転させ、それによりパソコンが傾斜し、適合な角度まで調節され、回転板２８が回転軸２７を回って回転することができ、それによりパソコンが任意の角度で昇降と傾斜することができる。
【００１３】
本発明の有益な効果は：本発明は昇降機構により異なる高度のニーズを満たすことができ、支持スタンドの強度を増加し、機能が広げられ、テスクとして使用されることもでき、使用者の使用に便利を与え、使用者の視力と脊椎を保護でき、職業病が出るリスクを減少し、普及する価値がある。
【００１４】
当業者は明確できるのは、本発明の総体精神及び構想を離脱しない限り、上記の実施例に対して各種の変型を行える。それらの変型がいずれも本発明の保護範囲に含む。本発明の保護方案が本発明に添付された特許請求の範囲を基準とするべきである。
【図１】
2020181550.tif 000003
【図２】
2020181550.tif 000004
【図３】
2020181550.tif 000005